(57)【要約】【課題】パイプコネクタの小型化設計を可能すること。【解決手段】ロック部材６０に形成された当接部６８がパイプ端部１００の外周部１０２Ａ直接に押し付けられることにより、ロック部材６０の一対の脚片部６２が互いに離れる方向に弾性変形する構造にする。【選択図】図７
2012145185.tif 000002
【特許請求の範囲】
【請求項１】
パイプ端部を抜き差し可能に挿入されるパイプ挿入孔を形成されたコネクタ本体と、
前記コネクタ本体に取り付けられたロック部材とを有し、
前記ロック部材は、前記パイプ挿入孔内に臨む一対の脚片部と、当該一対の脚片部の一端を互いに連結する連結部と、前記一対の脚片部の前記一端近傍に設けられて前記パイプ挿入孔内に臨む当接部とを含む門形形状をしており、
当該ロック部材は、前記パイプ挿入孔に挿入された前記パイプ端部を前記一対の脚片部によって径方向両側から挟むことにより当該パイプ端部を前記コネクタ本体に抜け止め係止するロック位置と、前記連結部をもって前記パイプ挿入孔の側に押されることにより前記当接部が前記パイプ端部の外周部に押し付けられ、当該押し付けにより前記一対の脚片部が互いに離れる方向に弾性変形し、当該一対の脚片部が前記パイプ端部より離間して抜け止め係止を解除するロック解除位置との間に変位可能に設けられられているパイプコネクタ。
【請求項２】
前記ロック部材は前記コネクタ本体に対して前記パイプ端部の抜き差し方向と同方向に所定量のみ変位可能に設けらており、
前記ロック部材と前記コネクタ本体には、前記ロック部材が前記ロック位置にあって前記パイプ端部の前記パイプ挿入孔よりの抜き出し方向と同方向に変位したオフセット位置に位置することにより、互いに当接して前記一対の脚片部が互いに離れる方向に弾性変形することによる係止解除を阻止する係止解除阻止部が設けられている請求項１に記載のパイプコネクタ。
【請求項３】
前記ロック部材と前記コネクタ本体には、前記ロック部材が前記オフセット位置に位置している場合に、互いに当接し、前記連結部が前記パイプ挿入孔の側に押されることにより、前記ロック部材を前記パイプ端部の前記パイプ挿入孔よりの抜き出し方向と逆方向に変位させるカム形状部が設けられている請求項２に記載のパイプコネクタ。
【請求項４】
前記一対の脚片部は、前記パイプ端部の外周に突出形成されたフランジ部の差し込み方向背面側のスラスト面に対向するスラスト面を含み、前記ロック部材が前記ロック位置にある時に前記スラスト面同士の当接を伴って前記パイプ端部を径方向両側から挟み、前記パイプ端部の抜け止め係止を行う請求項１〜３の何れか一項に記載のパイプコネクタ。
【請求項５】
前記当接部は前記フランジ部の外周部に当接する請求項４に記載のパイプコネクタ。
【請求項６】
前記一対の脚片部は、前記フランジ部の差し込み方向前側のスラスト面と当接し、前記パイプ端部が前記パイプ挿入孔に挿入されることに伴って互いに離れる方向に弾性変形して前記フランジ部が乗り越える傾斜面を有する請求項４または５に記載のパイプコネクタ。
【発明の詳細な説明】
【技術分野】
【０００１】
本発明は、パイプコネクタに関し、特に、パイプ同士の連結やパイプを機器に連結することに用いられるツールレス型のパイプコネクタに関するものである。
【背景技術】
【０００２】
ツールを用いることなくパイプを連結対象物に分離可能に連結するツールレス型のパイプコネクタとして、パイプ端部を抜き差し可能に挿入されるパイプ挿入孔を形成されたコネクタ本体と、コネクタ本体にパイプ挿入孔の径方向に移動可能に設けられたロック部材（保持器）とを有し、径方向移動によってロック部材がパイプ挿入孔に挿入されているパイプ端部をコネクタ本体に係脱可能に抜け止め係止するものが知られている（例えば、特許文献１）。
【０００３】
このパイプコネクタは、ロック部材に形成されている一対の脚片部によってパイプ挿入孔に挿入されたパイプ端部を径方向両側から挟むことによりパイプ端部をコネクタ本体に抜け止め係止し、ロック部材に形成されている傾斜部がコネクタ本体の壁部に押し付けられることにより前記一対の脚片部が互いに離れる方向に弾性変形し、抜け止め係止を解除する構造になっている。
【先行技術文献】
【特許文献】
【０００４】
【特許文献１】特許第３７６０２５１号公報
【発明の概要】
【発明が解決しようとする課題】
【０００５】
このパイプコネクタは、一対の脚片部を互いに離れる方向に弾性変形させるためにロック部材に形成された傾斜部が当接する壁部がコネクタ本体に設けられているため、その分、コネクタ本体がスケールアップし、パイプコネクタの小型化設計を阻害する要因なる。
【０００６】
また、コネクタ本体に抜け止め係止されているパイプ端部に大きい抜き出し力が作用すると、その抜き出し力によって一対の脚片部が互いに離れる方向に弾性変形し、抜け止め係止が解除される虞がある。このことを回避するには、脚片部のパイプ端部に対する抜け止め係合代を大きくする必要があり、このこともパイプコネクタの小型化設計を阻害する要因となる。
【０００７】
本発明が解決しようとする課題は、パイプコネクタの小型化設計を可能にし、更には、コネクタ本体に抜け止め係止されているパイプ端部に大きい抜き出し力が作用しても、抜け止め係止が解除されることがなく、信頼性の高いロック状態を確保することである。
【課題を解決するための手段】
【０００８】
本発明によるパイプコネクタは、パイプ端部（１００）を抜き差し可能に挿入されるパイプ挿入孔（１４）を形成されたコネクタ本体（１２）と、前記コネクタ本体（１２）に取り付けられたロック部材（６０）とを有し、前記ロック部材（６０）は、前記パイプ挿入孔（１４）内に臨む一対の脚片部（６２）と、当該一対の脚片部（６２）の一端を互いに連結する連結部（６４）と、前記一対の脚片部（６２）の前記一端近傍に設けられて前記パイプ挿入孔（１４）内に臨む当接部（６８）とを含む門形形状をしており、当該ロック部材（６０）は、前記パイプ挿入孔（１４）に挿入された前記パイプ端部（１００）を前記一対の脚片部（６２）によって径方向両側から挟むことにより当該パイプ端部（１００）を前記コネクタ本体（１２）に抜け止め係止するロック位置と、前記連結部（６４）をもって前記パイプ挿入孔（１４）の側に押されることにより前記当接部（６８）が前記パイプ端部（１００）の外周部（１０２Ａ）に押し付けられ、当該押し付けにより前記一対の脚片部（６２）が互いに離れる方向に弾性変形し、当該一対の脚片部（６２）が前記パイプ端部（１００）より離間して抜け止め係止を解除するロック解除位置との間に変位可能に設けられられている。
【０００９】
この構成によれば、一対の脚片部（６２）を互いに離れる方向に弾性変形させるためにロック部材（６０）に形成された当接部（６８）が当接する壁部をコネクタ本体（１２）に設ける必要がなくなり、その分、コネクタ本体（１２）を小型化できる。これにより、パイプコネクタ（１０）の小型化設計の自由度が高くなる。
【００１０】
本発明によるパイプコネクタは、好ましくは、更に、前記ロック部材（６０）は前記コネクタ本体（１２）に対して前記パイプ端部（１００）の抜き差し方向と同方向に所定量のみ変位可能に設けらており、前記ロック部材（６０）と前記コネクタ本体（１２）には、前記ロック部材（６０）が前記ロック位置にあって前記パイプ端部（１００）の前記パイプ挿入孔（１４）よりの抜き出し方向と同方向に変位したオフセット位置に位置することにより、互いに当接して前記一対の脚片部（６２）が互いに離れる方向に弾性変形することによる係止解除を阻止する係止解除阻止部（６２Ｄ、１６Ａ）が設けられている。
【００１１】
この構成によれば、コネクタ本体（１２）に抜け止め係止されているパイプ端部（１００）に大きい抜き出し力が作用しても、抜け止め係止が解除されることがなく、信頼性の高いロック状態を確保することができる。
【００１２】
本発明によるパイプコネクタは、好ましくは、更に、前記ロック部材（６０）と前記コネクタ本体（１２）には、前記ロック部材（６０）が前記オフセット位置に位置している場合に、互いに当接し、前記連結部（６４）が前記パイプ挿入孔（１４）の側に押されることにより、前記ロック部材（６０）を前記パイプ端部（１００）の前記パイプ挿入孔よりの抜き出し方向と逆方向に変位させるカム形状部（７４、４０）が設けられている。
【００１３】
この構成によれば、連結部（６４）がパイプ挿入孔（１４）の側に押されるだけで、ロック解除が行われ、操作性に優れたものになる。
【００１４】
本発明によるパイプコネクタは、好ましくは、前記一対の脚片部（６２）は、前記パイプ端部（１００）の外周に突出形成されたフランジ部（１０２）の差し込み方向背面側のスラスト面（１０２Ａ）に対向するスラスト面（６２Ｂ）を含み、前記ロック部材（６０）が前記ロック位置にある時に前記スラスト面同士の当接を伴って前記パイプ端部を径方向両側から挟み、前記パイプ端部の抜け止め係止を行う。この場合、前記当接部は前記フランジ部の外周部に当接する構造にすればよい。
【００１５】
この構成によれば、スラスト面当たりによってパイプ端部（１００）の抜け止め係止が高い強度をもって行われるようになる。
【００１６】
本発明によるパイプコネクタは、好ましくは、前記一対の脚片部（６２）は、前記フランジ部（１０２）の差し込み方向前側のスラスト面（１０２Ｂ）と当接し、前記パイプ端部（１００）が前記パイプ挿入孔（１４）に挿入されることに伴って互いに離れる方向に弾性変形して前記フランジ部（１０２）が乗り越える傾斜面（６２Ａ）を有する。
【００１７】
この構成によれば、パイプ端部（１００）のパイプコネクタ（１０）に対する連結が、ワンタッチで、操作性よく行われるようになる。
【発明の効果】
【００１８】
本発明によるパイプコネクタは、、一対の脚片部を互いに離れる方向に弾性変形させるためにロック部材に形成された当接部が当接する壁部をコネクタ本体に設ける必要がなくなる。これにより、コネクタ本体を小型化でき、パイプコネクタの小型化設計の自由度が高くなる。
【図面の簡単な説明】
【００１９】
【図１】本発明によるパイプコネクタの一つの実施形態を示す斜視図。
【図２】本実施形態によるパイプコネクタの分解斜視図。
【図３】本実施形態によるパイプコネクタの平面図。
【図４】図３の線ＩＶ−ＩＶ断面図。
【図５】（Ａ）は本実施形態によるパイプコネクタの弾性変形阻止状態での縦断面斜視図、（Ｂ）は同じく平断面斜視図。
【図６】（Ａ）は本実施形態によるパイプコネクタの弾性変形許容状態での縦断面斜視図、（Ｂ）は同じく平断面斜視図。
【図７】（Ａ）は本実施形態によるパイプコネクタのロック解除状態での縦断面斜視図、（Ｂ）は同じく正断面図。
【図８】（Ａ）は本実施形態によるパイプコネクタのパイプ抜き取り状態での縦断面斜視図、（Ｂ）は同じく正断面図。
【発明を実施するための形態】
【００２０】
本発明によるパイプコネクタの一つの実施形態を、図１〜図１０を参照して説明する。なお、パイプコネクタの各構成部品は、特に、ことわりがない限り、ポリアミド等による射出成形品である。また、以下の説明では、各図に矢印で示されているように、上下、左右、前後を定義する。
【００２１】
図１〜図４に示されているように、パイプコネクタは全体を符号１０により示されている。パイプコネクタ１０はコネクタ本体１２とを有する。コネクタ本体１２は、エルボ型のものであり、パイプ端部１００を抜き差し可能に挿入されるパイプ挿入孔１４を形成したパイプ接続筒部１６と、通路１８を画定し、燃料タンク等のパイプを接続される機器に形成された接続ポート（図示省略）に差し込まれるポート接続筒部２０とを有する。パイプ挿入孔１４と通路１８とはコネクタ本体１２内で連通している。ポート接続筒部２０の先端側外周にはゴム状弾性材製のＯリング２２が装着されている。
【００２２】
ここで、パイプ端部１００について説明する。パイプ端部１００は、パイプコネクタ１０を雌側コネクタとして、雄型コネクタをなすものであり、軸線方向の中間部に外周に突出形成された環状のフランジ部（バルジ部）１０２を有する。パイプ端部１００はフランジ部１０２より前側がパイプ挿入孔１４に挿入される挿入パイプ部１０４になっている。フランジ部１０２より後側は、配管用パイプやホース（図示省略）を接続される接続部１０６になっている。なお、本実施形態でのパイプ端部１００は、横断面形状が円形の円筒パイプによるものである。
【００２３】
パイプコネクタ１０の説明に戻り、パイプ挿入孔１４内には、ゴム状弾性材製の第１Ｏリング２４と、ディスタンスリング２６と、ゴム状弾性材製の第２Ｏリング２８と、円筒状のブッシュ３０とが順に挿入されている。ブッシュ３０は凹凸係合部３２（図４参照）によってコネクタ本体１２に固定されている。これにより、第１Ｏリング２４とディスタンスリング２６と第２Ｏリング２８はパイプ挿入孔１４の奥部の段差部３４（図４参照）とブッシュ３０とに挟まれてコネクタ本体１２に装着される。
【００２４】
パイプ接続筒部１６には、パイプ挿入孔１４の入口側を左右両側を径方向外方に拡大してなる側部拡大部３６と、パイプ挿入孔１４の入口側の上部にあって左右両側が各々左右の側部拡大部３６に連通した上部収納凹部３８とが形成されている。
【００２５】
左右の側部拡大部３６と上部収納凹部３８との部分にはロック部材６０が上下方向に移動可能に取り付けられている。ロック部材６０は、左右一対の脚片部６２と、左右の脚片部６２の一端（上端）を互いに連結する連結部６４と、左右の脚片部６２の一端近傍（上端近傍）に設けられた左右の当接部６８とを含んで門形形状をしている。
【００２６】
換言すると、左右の脚片部６２は、各々、下端が自由端で、左右方向に弾性変形可能なばね片状をなしている。左右の当接部６８は、各々、底面が傾斜面６８Ａ（図７（Ｂ）、図８（Ｂ）参照）による三角形状をしており、傾斜面６８Ａをもってパイプ端部１００のフランジ部１０２の外周面１０２Ｃに摺動可能に当接する。
【００２７】
連結部６４は上部収納凹部３８に上下移動可能に収納されている。左右の脚片部６２と当接部６８は、左右の側部拡大部３６に配置されてパイプ挿入孔１４内に臨んでいる。ロック部材６０は、脚片部６２の弾性変形の復元力によって脚片部６２の先端の傾斜面６２Ｂがパイプ挿入孔１４内に形成された傾斜面１４Ａ（図７（Ｂ）、図８（Ｂ）参照）に当接することにより、上方へ付勢され、当接部６８に形成された突起７０がパイプ挿入孔１４の入口上縁１４Ｂ（図７（Ａ）、図８（Ａ）参照）に当接することにより最上昇位置を定められている。
【００２８】
ロック部材６０は、パイプ挿入孔１４に挿入されたパイプ端部１００の挿入パイプ部１０４の外周部１０４Ａを左右の脚片部６２によって径方向両側（左右両側）から挟むことによりパイプ端部１００をコネクタ本体１０に抜け止め係止するロック位置（上昇位置）と、図７（Ｂ）に示されているように、左右の脚片部６２が互いに離れる方向（左右外側）に弾性変形し、左右の脚片部６２が互いに挿入パイプ部１０４の外周部１０４Ａより離間して抜け止め係止を解除するロック解除位置（降下位置）との間に変位可能になっている。
【００２９】
左右の脚片部６２が互いに離れる方向に弾性変形することは、連結部６４をもってロック部材６０がパイプ挿入孔１４の側に押し下げられることにより、当接部６８の傾斜面６８Ａがパイプ端部１００のフランジ部１０２の外周面１０２Ｃに直接押し付けられ、この押し付けによって当接部６８の傾斜面６８Ａが外周面１０２Ｃを下方に滑るように変位することにより、左右の脚片部６２が押し広げられるようにして行われる。
【００３０】
この構造により、一対の脚片部６２を互いに離れる方向に弾性変形させるためにロック部材６０に形成された当接部６８が当接する壁部をコネクタ本体１２に設ける必要がなくなり、その分、コネクタ本体１２を小型化できる。これにより、パイプコネクタ１０の小型化設計の自由度が高くなる。
【００３１】
左右の脚片部６２によるパイプ端部１００の抜け止め係止は、より詳細には、左右の脚片部６２がパイプ端部１００のフランジ部１０２の差し込み方向背面側のスラスト面１０２Ａに対向するスラスト面６２Ｃ（図５（Ｂ）、図６（Ｂ）参照）を含んでいて、スラスト面６２Ｃがフランジ部１０２のスラスト面１０２Ａに当接した状態で挿入パイプ部１０４を径方向両側（左右両側）から挟み込むことにより行われる。
【００３２】
左右の脚片部６２は、パイプ挿入孔１４の入口側に位置する面が傾斜面６２Ａになっている。左右の脚片部６２は、傾斜面６２Ａがフランジ部１０２の差し込み方向前側のスラスト面１０２Ｂと当接することにより、挿入パイプ部１０４がパイプ挿入孔１４に挿入されることに伴って互いに離れる方向に弾性変形する。これにより、パイプ端部１００のフランジ部１０２が左右の脚片部６２を乗り越える。この乗り越えによって脚片部６２のスラスト面６２Ｃがフランジ部１０２のスラスト面１０２Ａに当接することになる。
【００３３】
ロック部材６０はコネクタ本体１２に対してパイプ端部１００の抜き差し方向と同方向、つまり、前後方向に所定量のみ変位可能に設けられている。この変位は、連結部６４が上部収納凹部３８の前後の壁部４２、４４に当接することにより制限される。
【００３４】
ロック部材６０とパイプ接続筒部１６には、ロック部材６０がロック位置にあってパイプ端部１００のパイプ挿入孔１４よりの抜き出し方向と同方向（後方）に変位したオフセット位置（図５参照）に位置することにより、互いに当接する係止解除阻止部６２Ｄ、１６Ａ（図５（Ｂ）、図６（Ｂ）参照）を形成されている。ロック部材６０の係止解除阻止部６２Ｄとパイプ接続筒部１６の係止解除阻止部１６Ａとは、左右方向に互いに当接することにより、左右の脚片部６２が互いに離れる方向に弾性変形することによる係止解除を阻止する。
【００３５】
ロック部材６０は、図６に示されているように、オフセット位置より前側に変位したノーマル位置に位置することにより、ロック部材６０の係止解除阻止部６２Ｄがパイプ接続筒部１６の係止解除阻止部１６Ａとの当接より離間し、左右の脚片部６２が互いに離れる方向に弾性変形することを自由に許す。
【００３６】
ロック部材６０とパイプ接続筒部１６には、ロック部材６０が上述のオフセット位置に位置している場合に、互いに当接し、連結部６４がパイプ挿入孔１４の側に押し下げられることにより、ロック部材６０をパイプ接続筒部１６に対してパイプ端部１００のパイプ挿入孔１４よりの抜き出し方向と逆方向（前方）に変位させるカム形状部７４、４０が形成されている。
【００３７】
ロック部材６０のカム形状部７４は連結部６４の前縁底部に形成され、パイプ接続筒部１６のカム形状部４０は上部収納凹部３８の壁部４２に上下に延在するリブ状に形成されている。カム形状部７４、４０の互いの当接面は、連結部６４の降下移動を前方への移動に変換するよう、円弧面あるいは傾斜面になっていることが好ましい。
【００３８】
パイプ端部１００のパイプコネクタ１０に対する連結は、図８に示されている状態において、パイプ端部１００の挿入パイプ部１０４をパイプ挿入孔１４に挿入されることにより行われる。この挿入過程で、パイプ端部１００のフランジ部１０２のスラスト面１０２Ｂが左右の脚片部６２の傾斜面６２Ａに当接することにより、左右の脚片部６２は互いに離れる方向に弾性変形し、この弾性変形のもとにパイプ端部１００のフランジ部１０２が左右の脚片部６２を乗り越える。
【００３９】
この乗り越えが完了すると、図６に示されているように、左右の脚片部６２の弾性変形が解除されて復元し、脚片部６２のスラスト面６２Ｃがフランジ部１０２のスラスト面１０２Ａに対向することになる。これにより、パイプ端部１００のパイプコネクタ１０に対する連結が、ワンタッチで操作性よく、しかも高い抜け止め強度をもって行われるようになる。
【００４０】
パイプコネクタ１０よりパイプ端部１００を取り外すことは、ロック部材６０の連結部６４を押し下げることにより行われる。連結部６４が押し下げられると、ロック部材６０の当接部６８の傾斜面６８Ａがパイプ端部１００のフランジ部１０２の外周面１０２Ｃに直接押し付けられ、この押し付けによって当接部６８の傾斜面６８Ａが外周面１０２Ｃを下方に滑るように変位することにより、図７に示されているように、左右の脚片部６２が押し広げられようにして、互いに離れる方向に弾性変形し、左右の脚片部６２が互いに挿入パイプ部１０４の外周部１０４Ａより離間する。これにより抜け止め係止が解除され、パイプ端部１００の挿入パイプ部１０４をパイプ挿入孔１４より抜き出すことができるようになる。
【００４１】
挿入パイプ部１０４のパイプ挿入孔１４より抜き出しが完了すると、左右の脚片部６２の弾性変形が元に戻っていて、図８に示されているように、脚片部脚片部６２の弾性変形の復元力によって脚片部６２の先端の傾斜面６２Ｂがパイプ挿入孔１４内に形成された傾斜面１４Ａに当接することにより、ロック部材６０は上方の元の位置に戻る。
【００４２】
パイプコネクタ１０に抜け止め係止されている状態で、パイプ端部１００に抜き出し方向の力が作用すると、図５に示されているように、パイプ端部１００のパイプ挿入孔１４よりの抜き出し方向と同方向にロック部材６０が変位してロック部材６０がオフセット位置に位置する。ロック部材６０がオフセット位置に位置すると、ロック部材６０の係止解除阻止部６２Ｄとパイプ接続筒部１６の係止解除阻止部１６Ａとが互いに当接する。この当接によって左右の脚片部６２が互いに離れる方向に弾性変形することによる係止解除が阻止される。、
【００４３】
これにより、コネクタ本体１２に抜け止め係止されているパイプ端部１００に大きい抜き出し力が作用しても、抜け止め係止が解除されることがなく、信頼性の高いロック状態が確保される。
【００４４】
このオフセット状態で、パイプコネクタ１０よりパイプ端部１００を取り外す場合も、ロック部材６０の連結部６４を押し下げることにより行われる。連結部６４が押し下げられると、まず、ロック部材６０のカム形状部７４がコネクタ本体１２のカム形状部４０に当接することにより、図６に示されているように、ロック部材６０が、パイプ接続筒部１６に対してパイプ端部１００のパイプ挿入孔１４よりの抜き出し方向と逆方向に変位し、ノーマル位置に位置することになる。これにより、ロック部材６０の係止解除阻止部６２Ｄがパイプ接続筒部１６の係止解除阻止部１６Ａとの当接より離間し、左右の脚片部６２が互いに離れる方向に弾性変形することを自由に許すようになる。引き続き、連結部６４が押し下げられることにより、前述と同様に、抜け止め係止が解除され、パイプ端部１００の挿入パイプ部１０４をパイプ挿入孔１４より抜き出すことができるようになる。
【００４５】
上述の実施形態では、パイプ端部１００のフランジ部１０２が形成されていて、脚片部６２のスラスト面６２Ｃがフランジ部１０２のスラスト面１０２Ａに当接する構造になっているが、パイプ端部１００の外周に周溝が形成されていて、周溝にロック部材の脚片部が嵌り込む構造にすることもできる。また、係止解除阻止部１６Ａ、６２Ｄの構成も、図示の実施形態のものに限られるものでなく、脚片部６２とコネクタ本体１２との当たりによって左右の脚片部６２が互いに離れる方向に弾性変形することを阻止するものでなればよい。
【符号の説明】
【００４６】
１０  パイプコネクタ
１２  コネクタ本体
１４  パイプ挿入孔
１６  パイプ接続筒部
１６Ａ  係止解除阻止部
３６  側部拡大部
３８  上部収納凹部
４０  カム形状部
６０  ロック部材
６２  脚片部
６２Ａ  傾斜面
６２Ｃ  スラスト面
６２Ｄ  係止解除阻止部
６４  連結部
６８  当接部
７４  カム形状部
１００  パイプ端部
１０２  フランジ部
１０２Ａ、１０２Ｂ  スラスト面
【図１】
2012145185.tif 000003
【図２】
2012145185.tif 000004
【図３】
2012145185.tif 000005
【図４】
2012145185.tif 000006
【図５】
2012145185.tif 000007
【図６】
2012145185.tif 000008
【図７】
2012145185.tif 000009
【図８】
2012145185.tif 000010
【手続補正書】
【提出日】平成24年2月6日(2012.2.6)
【手続補正１】
【補正対象書類名】特許請求の範囲
【補正対象項目名】請求項１
【補正方法】変更
【補正の内容】
【請求項１】
パイプ端部を抜き差し可能に挿入されるパイプ挿入孔を形成されたコネクタ本体と、
前記コネクタ本体に取り付けられたロック部材とを有し、
前記ロック部材は、前記パイプ挿入孔内に臨む一対の脚片部と、当該一対の脚片部の一端を互いに連結する連結部と、前記一対の脚片部の前記一端近傍に設けられて前記パイプ挿入孔内に臨む当接部とを含む門形形状をしており、
当該ロック部材は、前記パイプ挿入孔に挿入された前記パイプ端部を前記一対の脚片部によって径方向両側から挟むことにより当該パイプ端部を前記コネクタ本体に抜け止め係止するロック位置と、前記連結部をもって前記パイプ挿入孔の側に押されることにより前記当接部が前記パイプ端部の外周部に押し付けられ、当該押し付けにより前記一対の脚片部が互いに離れる方向に弾性変形し、当該一対の脚片部が前記パイプ端部より離間して抜け止め係止を解除するロック解除位置との間に変位可能に設けられているパイプコネクタ。
【手続補正２】
【補正対象書類名】明細書
【補正対象項目名】０００８
【補正方法】変更
【補正の内容】
【０００８】
本発明によるパイプコネクタは、パイプ端部（１００）を抜き差し可能に挿入されるパイプ挿入孔（１４）を形成されたコネクタ本体（１２）と、前記コネクタ本体（１２）に取り付けられたロック部材（６０）とを有し、前記ロック部材（６０）は、前記パイプ挿入孔（１４）内に臨む一対の脚片部（６２）と、当該一対の脚片部（６２）の一端を互いに連結する連結部（６４）と、前記一対の脚片部（６２）の前記一端近傍に設けられて前記パイプ挿入孔（１４）内に臨む当接部（６８）とを含む門形形状をしており、当該ロック部材（６０）は、前記パイプ挿入孔（１４）に挿入された前記パイプ端部（１００）を前記一対の脚片部（６２）によって径方向両側から挟むことにより当該パイプ端部（１００）を前記コネクタ本体（１２）に抜け止め係止するロック位置と、前記連結部（６４）をもって前記パイプ挿入孔（１４）の側に押されることにより前記当接部（６８）が前記パイプ端部（１００）の外周部（１０２Ａ）に押し付けられ、当該押し付けにより前記一対の脚片部（６２）が互いに離れる方向に弾性変形し、当該一対の脚片部（６２）が前記パイプ端部（１００）より離間して抜け止め係止を解除するロック解除位置との間に変位可能に設けられている。